(57)【特許請求の範囲】
【請求項１】
ユーザ端末を操作するユーザに対して第１サーバ上のサービスサイトによってネットワーク経由で提供されるサービスが所定の条件を満たした場合に、当該ユーザに対して、第２サーバ上のキャンペーンサイトから所定の特典の付与を受けることのできる権限を付与するキャンペーンシステムであって、
前記第１サーバは、
或るユーザに提供されるサービスが前記所定の条件を満たしたときに、一意の識別子を生成する識別子生成手段と、
当該第１サーバを宛先とするとともに前記識別子を含むネットワークアドレスを生成するネットワークアドレス生成手段と、
前記識別子生成手段が生成した前記識別子に対応付けて、前記権限が有効であることを示す情報を記憶装置に登録する登録手段と、
前記ネットワークアドレスを前記ユーザに通知するネットワークアドレス通知手段と、
前記ネットワークアドレスを宛先とするメッセージを受信したときに、当該ネットワークアドレスに含まれる識別子に対応付けて前記権限が有効であることを示す情報が前記記憶装置に登録されている場合に限って、前記識別子を含むとともに前記キャンペーンサイトにリダイレクトさせて前記特典の付与を要求させるリダイレクト情報を前記メッセージ送信元の端末へ応答するリダイレクト手段と、
前記識別子を含むとともに前記キャンペーンサイトでの前記特典の付与が完了した旨の完了通知を受信したときに、当該識別子に対応付けて前記記憶装置に登録されている情報を前記権限が無効であることを示す情報に更新する適用記録手段と
を備え、
前記第２サーバは、
前記リダイレクト情報に基づいてリダイレクトされたメッセージを受信した後に、当該メッセージに基づいて前記キャンペーンサイトによる前記特典を付与する処理が完了すると、前記リダイレクト情報に含まれる前記識別子を含む前記完了通知を生成して、前記第１サーバへ送信する完了通知手段
を備えることを特徴とするキャンペーンシステム。
【請求項２】
ユーザ端末を操作するユーザに対して第１サーバ上のサービスサイトによってネットワーク経由で提供されるサービスが所定の条件を満たした場合に、当該ユーザに対して、第２サーバ上のキャンペーンサイトから所定の特典の付与を受けることのできる権限を付与するキャンペーンシステムであって、
前記第１サーバは、
或るユーザに提供されるサービスが前記所定の条件を満たしたときに、一意の識別子を生成する識別子生成手段と、
当該第１サーバを宛先とするとともに前記識別子を含むネットワークアドレスを生成するネットワークアドレス生成手段と、
前記識別子生成手段が生成した前記識別子に対応付けて、前記権限の行使可能回数の初期値を記憶装置に登録する登録手段と、
前記ネットワークアドレスを前記ユーザに通知するネットワークアドレス通知手段と、
前記ネットワークアドレスを宛先とするメッセージを受信したときに、当該ネットワークアドレスに含まれる識別子に対応付けて前記記憶装置に登録されている前記行使可能回数が１回以上である場合に限って、前記識別子を含むとともに前記キャンペーンサイトにリダイレクトさせて前記特典の付与を要求させるリダイレクト情報を前記メッセージ送信元の端末へ応答するリダイレクト手段と、
前記識別子を含むとともに前記キャンペーンサイトでの前記特典の付与が完了した旨の完了通知を受信したときに、当該識別子に対応付けて前記記憶装置に登録されている前記行使可能回数をデクリメントする適用記録手段と
を備え、
前記第２サーバは、
前記リダイレクト情報に基づいてリダイレクトされたメッセージを受信した後に、当該メッセージに基づいて前記キャンペーンサイトによる前記特典を付与する処理が完了すると、前記リダイレクト情報に含まれる前記識別子を含む前記完了通知を生成して、前記第１サーバへ送信する完了通知手段
を備えることを特徴とするキャンペーンシステム。
【請求項３】
ユーザ端末を操作するユーザに対して第１サーバ上のサービスサイトによってネットワーク経由で提供されるサービスが所定の条件を満たした場合に、当該ユーザに対して、第２サーバ上のキャンペーンサイトから所定の特典の付与を受けることのできる権限を付与するキャンペーンを実行するキャンペーン方法であって、
前記第１サーバによって或るユーザに提供されるサービスが前記所定の条件を満たしたときに、
前記第１サーバが、
一意の識別子を生成し、
当該第１サーバを宛先とするとともに前記識別子を含むネットワークアドレスを生成し、
前記識別子に対応付けて、前記権限が有効であることを示す情報を記憶装置に登録するとともに、
前記ネットワークアドレスを前記ユーザに通知し、その後、
前記第１サーバが前記ネットワークアドレスを宛先とするメッセージを受信したときに、
前記第１サーバが、
当該ネットワークアドレスに含まれる識別子に対応付けて前記権限が有効であることを示す情報が前記記憶装置に登録されている場合に限って、前記識別子を含むとともに前記キャンペーンサイトにリダイレクトさせて前記特典の付与を要求させるリダイレクト情報を前記メッセージ送信元の端末へ応答し、その後、
前記第２サーバが前記リダイレクト情報に基づいてリダイレクトされたメッセージを受信した後に、
前記第２サーバが、
当該メッセージに基づいて前記キャンペーンサイトによる前記特典を付与する処理が完了すると、前記リダイレクト情報に含まれる前記識別子を含む完了通知を生成して、前記第１サーバへ送信し、その後、
前記第１サーバが前記完了通知を受信すると、
前記第１サーバが、
当該完了通知に含まれる識別子に対応付けて前記記憶装置に登録されている情報を前記権限が無効であることを示す情報に更新する
ことを特徴とするキャンペーン方法。
【請求項４】
ユーザ端末を操作するユーザに対して第１サーバ上のサービスサイトによってネットワーク経由で提供されるサービスが所定の条件を満たした場合に、当該ユーザに対して、第２サーバ上のキャンペーンサイトから所定の特典の付与を受けることのできる権限を付与するキャンペーンを実行するキャンペーン方法であって、
前記第１サーバによって或るユーザに提供されるサービスが前記所定の条件を満たしたときに、
前記第１サーバが、
一意の識別子を生成し、
当該第１サーバを宛先とするとともに前記識別子を含むネットワークアドレスを生成し、
前記識別子に対応付けて、前記権限の行使可能回数の初期値を記憶装置に登録するとともに、
前記ネットワークアドレスを前記ユーザに通知し、その後、
前記第１サーバが前記ネットワークアドレスを宛先とするメッセージを受信したときに、
前記第１サーバが、
当該ネットワークアドレスに含まれる識別子に対応付けて前記記憶装置に登録されている行使可能回数が１以上である場合に限って、前記識別子を含むとともに前記キャンペーンサイトにリダイレクトさせて前記特典の付与を要求させるリダイレクト情報を前記メッセージ送信元の端末へ応答し、その後、
前記第２サーバが前記リダイレクト情報に基づいてリダイレクトされたメッセージを受信した後に、
前記第２サーバが、
当該メッセージに基づいて前記キャンペーンサイトによる前記特典を付与する処理が完了すると、前記リダイレクト情報に含まれる前記識別子を含む完了通知を生成して、前記第１サーバへ送信し、その後、
前記第１サーバが前記完了通知を受信すると、
前記第１サーバが、
当該完了通知に含まれる識別子に対応付けて前記記憶装置に登録されている前記使用可能回数をデクリメントする
ことを特徴とするキャンペーン方法。
【請求項５】
ユーザ端末を操作するユーザに対してネットワークを通じて所定のサービスを提供する処理を実行し、所定のネットワークアドレス宛のメッセージを受信した時に当該メッセージの送信者に対して所定の特典を付与するキャンペーンサイトにメッセージをリダイレクトする機能を有するとともに、記憶装置に接続されたサーバコンピュータを、
或るユーザに提供されるサービスが前記所定の条件を満たしたときに、一意の識別子を生成する識別子生成手段，
当該サーバコンピュータを宛先とするとともに前記識別子を含むネットワークアドレスを生成するネットワークアドレス生成手段，
前記識別子生成手段が生成した前記識別子に対応付けて、前記権限が有効であることを示す情報を前記記憶装置に登録する登録手段，
前記ネットワークアドレスを前記ユーザに通知するネットワークアドレス通知手段，
前記ネットワークアドレスを宛先とするメッセージを受信したときに、当該ネットワークアドレスに含まれる識別子に対応付けて前記権限が有効であることを示す情報が前記記憶装置に登録されている場合に限って、前記識別子及び当該サーバコンピュータを戻り先とするパラメータを含むとともに前記キャンペーンサイトにリダイレクトさせて前記特典の付与を要求させるリダイレクト情報を、前記メッセージ送信元の端末へ応答するリダイレクト手段，及び
前記識別子を含むとともに前記キャンペーンサイトから遷移されたメッセージを受信したときに、当該識別子に対応付けて前記記憶装置に登録されている情報を前記権限が無効であることを示す情報に更新する適用記録手段
として機能させるプログラム。
【請求項６】
ユーザ端末を操作するユーザに対してネットワークを通じて所定のサービスを提供する処理を実行し、所定のネットワークアドレス宛のメッセージを受信した時に当該メッセージの送信者に対して所定の特典を付与するキャンペーンサイトにメッセージをリダイレクトする機能を有するとともに、記憶装置に接続されたサーバコンピュータを、
或るユーザに提供されるサービスが前記所定の条件を満たしたときに、一意の識別子を生成する識別子生成手段，
当該サーバコンピュータを宛先とするとともに前記識別子を含むネットワークアドレスを生成するネットワークアドレス生成手段，
前記識別子生成手段が生成した前記識別子に対応付けて、回数を示す変数の初期値を前記記憶装置に登録する登録手段，
前記ネットワークアドレスを前記ユーザに通知するネットワークアドレス通知手段，
前記ネットワークアドレスを宛先とするメッセージを受信したときに、当該ネットワークアドレスに含まれる識別子に対応付けて前記記憶装置に登録されている前記変数が１以上である場合に限って、前記識別子及び当該サーバコンピュータを戻り先とするパラメータを含むとともに前記キャンペーンサイトにリダイレクトさせて前記特典の付与を要求させるリダイレクト情報を、前記メッセージ送信元の端末へ応答するリダイレクト手段，及び
前記識別子を含むとともに前記キャンペーンサイトから遷移されたメッセージを受信したときに、当該識別子に対応付けて前記記憶装置に登録されている前記変数をデクリメントする適用記録手段
として機能させるプログラム。
【発明の詳細な説明】
【技術分野】
【０００１】
本発明は、ネットワークを通じた販売促進等のキャンペーンとして、顧客にインセンティブを与える処理を実行するキャンペーンシステム，ネットワークを通じて顧客の端末からアクセス可能なサーバ装置を用いて上述したキャンペーンを実行するキャンペーン方法，サーバ装置として機能するコンピュータに上記キャンペーン方法を実施させるためのキャンペーンサービスプログラムに、関する。
【背景技術】
【０００２】
近年のインターネットの普及に伴い、様々なキャンペーンが、インターネット上のサイトで張られている。その代表例が、インターネット上の特定サイトにアクセスしてきたユーザに対して、一定のインセンティブを付与することを内容とするキャンペーンである。このようなキャンペーンは、例えば、インターネット上でオンラインショッピングのサービスを行っているサイトにおいて、オンラインショッピングにより特定商品や特定サービスを購入したユーザに対して実施されたり、インターネット上で商品宣伝を行っているサイトにおいて、その広告を見たユーザのユーザ情報を取得する目的で実施される。また、そのキャンペーンによってユーザに与えられるインセンティブとしては、例えば、販売された商品に組み合わせて使用される類の商品もしくはサービス，又は、その他の商品もしくはサービスの無償提供，これらの商品又はサービスを所定割引率にて購入できるクーポン，これらの商品，サービス又はクーポンを獲得するための懸賞への応募権限，等が挙げられる（その一例を、下記特許文献１に示す）。
【０００３】
従来、この種のキャンペーンは、上述したようなオンラインショッピングや商品宣伝  のサイト内部における別ページにて実施されていたが、最近では、オンラインショッピングや商品宣伝を行うサイトを運営する業者（業務委託者）とは別の業者（例えば広告会社である業務受託者）が、前者から委託を受けて、前者の顧客に対して上記キャンペーンの一環としてのインセンティブ付与を自己のサイト内で行うといった「業者間の連携」も、頻繁に実施されている。その場合における各サイトの連携の概念を、図１３の概念図に示す。
【０００４】
図１３において、ユーザの端末１００は、インターネットＮを通じて、業務委託者が運営するオンラインショッピングのサイト（以下、「ショッピングサイト」という）１０１及び業務受託者がキャンペーンの一環としてのインセンティブ付与を代行するために運用するサイト（以下、「キャンペーンサイト」という）１０２に対して、アクセス可能となっている。そして、ユーザが端末１００を操作することによってショッピングサイト１０１にアクセスして商品の注文を行うと、当該ショッピングサイト１０１は、キャンペーンサイト１０２内の当該業務委託者から委託されたキャンペーンに関するページ（以下、「キャンペーン専用ページ」という）にアクセスするためのアクセス権を、当該ユーザに付与する。具体的には、当該ページのＵＲＬ（以下、「キャンペーン専用ＵＲＬ」という）を一般には非公開としておいた上で、アクセス権を標章する情報として当該キャンペーン専用ＵＲＬを当該ユーザにのみ通知する。もしくは、当該キャンペーン専用ページにＩＤ及びパスワードを設定した上で、アクセス権を標章する情報として当該ＩＤ及びパスワードを当該ユーザにのみ通知する。そして、以上のような手法によってアクセス権が付与されたユーザが、端末１００を用いてキャンペーンサイト１０２内の当該ページにアクセスすると、当該ページにおいて提供されているインセンティブ，即ち、業務受託者が業務委託者から委託されたキャンペーンに関するインセンティブの付与を、受けられるようになるのである。
【特許文献１】特開2002-49818号公報
【発明の開示】
【発明が解決しようとする課題】
【０００５】
しかしながら、上述した業者間の連携によるキャンペーンの方法によると、以下のような問題が生じる。
【０００６】
先ず、キャンペーンによって顧客にインセンティブを付与するには相応のコストを要するし、また、キャンペーン対象者としての要件（商品を注文したこと，商品の宣伝を見たこと，等）を満たさない者にも特典を与えてしまうと、インセンティブとしての効果が減殺されてしまう。従って、キャンペーン専用ページへのアクセスは、真実アクセス権限を有するユーザにのみ限るべきである。しかしながら、上記方法によると、アクセス権限を付与され、キャンペーン専用ＵＲＬ（ないし、ＩＤ及びパスワード）を通知されたユーザが、これら情報をアクセス権限を有しない第三者に漏洩してしまえば、かかる第三者がキャンペーン専用ページにアクセスして、特典を事実上受けることができてしまう。
【０００７】
また、上述した理由により、たとえ一旦アクセス権限を付与されたユーザについても、一個のアクセス権限に基づいてキャンペーン専用ページにアクセスできる回数は、予め定められた所定回数に限るべきである。しかしながら、上記方法によると、アクセス権限を付与され、キャンペーン専用ＵＲＬ（ないし、ＩＤ及びパスワード）を通知されたユーザは何度もキャンペーン専用ページにアクセスして、特典を際限なく受けることができてしまう。
【０００８】
また、一個のアクセス権限に基づいてキャンペーン専用ページにアクセスできる回数を複数回に定めた場合、同一のユーザが何回キャンペーン専用ページにアクセスしたかを、キャンペーンサイトにおいて管理しなければならなくなるが、その為には、当該ユーザのアクセスを識別するために、当該ユーザの識別情報（顧客情報）をショッピングサイトから通知されていなければならない。しかしながら、受託業者はユーザにとって契約外の第三者であるので、委託業者は、ユーザに無断で妄りにその個人情報を受託業者に開示すべきではない。
【０００９】
以上の問題を解決するために、例えば、ショッピングサイトでの商品購入等と同一セッション内においてのみキャンペーン専用ページにアクセス可能とすることも考えられるが、その場合、ユーザが途中で手続きを中断したり通信が切断してしまうと、改めてキャンペーン専用ページにアクセスすることができなくなってしまう。従って、ユーザが商品購入等との間に時間を置いてキャンペーン専用ページにアクセスするといった柔軟な権利行使ができなくなったり、当該ユーザが第三者に代理して商品購入した場合に、当該第三者にキャンペーン専用ページへのアクセス権を譲渡することができなくなるという問題が生じる。
【００１０】
そこで、本発明の課題は、第１サーバ上のサービスサイトにおける利用状況が所定の要件を満たすユーザに対して与えられるキャンペーンの一環として特典を付与するキャンペーンサイトへのアクセス権限を標章する情報の、行使可能回数を所定回数に限定することにより、アクセス権限の第三者への譲渡を可能とし、しかも、任意のタイミングでアクセス権限を行使可能にできるにも拘わらず、当該ユーザ又は第三者によるキャンペーン専用ページに対する無権限のアクセスを防止することができるキャンペーンシステム，キャンペーン方法，及びキャンペーンサービスプログラムを、提供することである。
【課題を解決するための手段】
【００１１】
上記課題を解決するために案出されたキャンペーンシステムの第１の態様によると、ユ
ーザ端末を操作するユーザに対して所定のサービスを提供するサービスサイトを実現する第１サーバは、或るユーザに提供されるサービスが前記所定の条件を満たしたときに、一意の識別子を生成し、当該第１サーバを宛先とするとともに前記識別子を含むネットワークアドレスを生成し、前記識別子に対応付けて、前記権限が有効であることを示す情報を記憶装置に登録するとともに、前記ネットワークアドレスを前記ユーザに通知する。当該ネットワークアドレスは、第２サーバ上で実現されるキャンペーンサイトから所定の特典の付与を受けることのできる権限を標章しており、当該ユーザは自らこれを使用することもできるが、第三者にこれを譲渡して使用させることもできる。何れにしても、当該ネットワークアドレスを入手した者が、その後任意のタイミングで、当該ネットワークアドレスを宛先として指定したメッセージを送信すると、第１サーバが当該メッセージを受信することになる。すると、第１サーバは、当該ネットワークアドレスに含まれる識別子に対応付けて前記権限が有効であることを示す情報が前記記憶装置に登録されている場合に限って、前記識別子を含むとともに前記キャンペーンサイトにリダイレクトさせて前記特典の付与を要求させるリダイレクト情報を、前記メッセージ送信元の端末へ応答する。従って、当該ネットワークアドレスを宛先としたメッセージを最初に送信した者については、前記権限が有効であることを示す情報が前記記憶装置に登録されていると判断されるので、リダイレクト情報が送信される。このリダイレクト情報に従ってリダイレクトされたメッセージを受信した第２サーバは、当該メッセージに基づいて前記キャンペーンサイトによる前記特典を付与する処理が完了すると、前記リダイレクト情報に含まれる前記識別子を含む完了通知を生成して、前記第１サーバへ送信する。この完了通知は、第２サーバが第１サーバに対して直接通知しても良いし、第２サーバが戻りＵＲＬを生成してユーザ端末に応答することによってなされても良い。このようにして、第１サーバが完了通知を受信すると、当該完了通知に含まれる識別子に対応付けて前記記憶装置に登録されている情報を前記権限が無効であることを示す情報に更新する。その結果、以後、上記ネットワークアドレスを宛先として指定したメッセージが再度第１サーバへ送信されても、前記権限が有効であることを示す情報が前記記憶装置に登録されていないと判断されるので、リダイレクト情報が送信されることはなく、よって、アクセス権限の無い者や、既にアクセス権限を使い切った者による不正使用を防止することができる。
【００１２】
また、キャンペーンシステムの第２の態様によると、ユーザ端末を操作するユーザに対して所定のサービスを提供するサービスサイトを実現する第１サーバは、或るユーザに提供されるサービスが前記所定の条件を満たしたときに、一意の識別子を生成し、当該第１サーバを宛先とするとともに前記識別子を含むネットワークアドレスを生成し、前記識別子に対応付けて、前記権限の行使可能回数の初期値を記憶装置に登録するとともに、前記ネットワークアドレスを前記ユーザに通知する。当該ネットワークアドレスは、第２サーバ上で実現されるキャンペーンサイトから所定の特典の付与を受けることのできる権限を標章しており、当該ユーザは自らこれを使用することもできるが、第三者にこれを譲渡して使用させることもできる。何れにしても、当該ネットワークアドレスを入手した者が、その後任意のタイミングで、当該ネットワークアドレスを宛先として指定したメッセージを送信すると、第１サーバが当該メッセージを受信することになる。すると、第１サーバは、当該ネットワークアドレスに含まれる識別子に対応付けて前記記憶装置に登録されている行使可能回数が１以上である場合に限って、前記識別子を含むとともに前記キャンペーンサイトにリダイレクトさせて前記特典の付与を要求させるリダイレクト情報を、前記メッセージ送信元の端末へ応答する。従って、当該ネットワークアドレスを宛先としたメッセージを送信した者の述べ人数が前記行使可能回数と同数に達するまでは、前記権限が有効であることを示す情報が前記記憶装置に登録されていると判断されるので、それまでの送信者については、リダイレクト情報が送信される。このリダイレクト情報に従ってリダイレクトされたメッセージを受信した第２サーバは、当該メッセージに基づいて前記キャンペーンサイトによる前記特典を付与する処理が完了すると、前記リダイレクト情報に含まれる前記識別子を含む完了通知を生成して、前記第１サーバへ送信する。この完了通
知は、第２サーバが第１サーバに対して直接通知しても良いし、第２サーバが戻りＵＲＬを生成してユーザ端末に応答することによってなされても良い。このようにして、第１サーバが完了通知を受信すると、当該完了通知に含まれる識別子に対応付けて前記記憶装置に登録されている行使可能回数をデクリメントする。このようにしてデクリメントされた結果、行使可能回数がゼロになると、以後、上記ネットワークアドレスを宛先として指定したメッセージが再度第１サーバへ送信されても、リダイレクト情報が応答されることはなく、よって、アクセス権限の無い者や、既にアクセス権限を使い切った者による不正使用を防止することができる。
【００１３】
なお、ネットワークは、コンピュータネットワークであればその種別を問わず、パソコンネットワーク，ＶＡＮ，インターネットであっても良い。また、ネットワークアドレスは、インターネットにおけるＵＲＬを含む概念である。また、第１サーバ上のサービスサイトが提供するサービスは、オンラインショッピング，商品の宣伝広告，コンテンツ配信等を含む。また、第２サーバ上のキャンペーンサイトが付与する特典は、商品やクーポン券等の有体物の贈与，コンテンツや権利情報等のダウンロードデータの配信，懸賞への応募受け付け等を含む。
【発明の効果】
【００１４】
開示されたキャンペーンシステムによると、第１サーバ上のサービスサイトにおける利用状況が所定の要件を満たすユーザに与えられた、キャンペーンの一環として特典を付与するキャンペーンサイトへのアクセス権限を標章する情報，即ち、ネットワークアドレスの行使可能回数が所定回数に限定されるので、当該情報を第三者へ通知することによりアクセス権限の譲渡が可能であり、しかも、任意のタイミングでアクセス権限の行使が可能でありながら、当該ユーザ又は第三者によるキャンペーン専用ページに対する無権限のアクセスを防止を防止することができる。
【発明を実施するための最良の形態】
【００１５】
以下、本提案によるキャンペーンシステムの実施の形態を説明する。以下に説明する例は、本発明によるキャンペーンシステムを、業務委託者が運営するショッピングサイト（オンラインショッピングのサービスを提供するサービスサイト）を実現するサーバ装置，及び、業務受託者が運営するキャンペーンサイト（業務委託者から委託された内容の特典を、キャンペーンの一環をなすインセンティブとして、業務委託者から指示されたユーザに対して付与するサイト）を実現するサーバ装置を有するネットワークシステムとして、構成したものである。もっとも、本提案の適用は、このような構成のネットワークシステムに限るものではなく、ショッピングサイト及びキャンペーンサイトが同一のサーバ装置（レンタルサーバ等）によって実現される構成のネットワークシステムであっても良いし、業務委託者が運営してキャンペーンを張るサービスサイトは、ショッピングサイトに限らず、例えば、商品や役務を宣伝するサイトであっても良い。
＜システム構成＞
図１は、本実施形態によるキャンペーンシステムを実施するネットワークシステムの概略構成図である。図１に示すように、このネットワークシステムは、インターネットＮを通じて相互に物理的に接続され、且つ、通信可能とされているショッピングサイト１を構成するサーバ群（ＷＥＢサーバ１１，業務処理サーバ１２，データベースサーバ１３），キャンペーンサイト２を構成するサーバ群（ＷＥＢサーバ２１，業務処理サーバ２２，データベースサーバ２３），及び、多数（図１においては一台のみ図示）のユーザ端末３を、有している。
［ショッピングサイト］
ショッピングサイト１を構成するＷＥＢサーバ１１は、ユーザ端末３やキャンペーンサイト２から自己宛に送られたリクエストメッセージによって要求されたＷＥＢデータを応答し、若しくは、要求された処理を業務サーバ１２に指示する。そして、その結果（返値
）が当該業務サーバ１２から戻されると、リクエストメッセージ送信元のユーザ端末３又はキャンペーンサイト２へ応答する。
【００１６】
業務処理サーバ１２は、ＷＥＢサーバ１１から指示された処理を実行する装置であり、当該処理の手順を示した多種のプログラム（ＣＧＩプログラム）をインストールしたハードディスク１２２，これらプログラムを指示内容に応じて適宜読み出して実行するＣＰＵ１２０，ＣＰＵ１２０の作業領域が展開されるメインメモリ１２１を、内蔵している。
【００１７】
この業務処理サーバ１２が実行する処理の一つが、当該ショッピングサイト１に所定のＵＲＬを指定してリクエストメッセージを送信してきたユーザ端末３を操作するユーザに対して、オンラインショッピングのサービスを提供する処理である。即ち、業務処理サーバ１２は、リクエストメッセージに含まれるパラメータに応じて、指定された商品群の一覧を表示させる画面データを生成して当該ユーザ端末３へ応答したり、指定された商品の説明を表示させる画面データを生成して当該ユーザ端末３へ応答したり、指定された商品の購入確定の意思表示をさせる画面データを生成して当該ユーザ端末３へ応答したり、確定された商品購入の内容を表す伝票データを作成したり、注文を受領した旨（売買契約締結の旨）を通知する電子メール（注文受領メール）を当該ユーザ端末３へ送信する。
【００１８】
更に、業務処理サーバ１２は、本発明に相当する処理として、商品の購入が確定されると、確定された商品がキャンペーン対象となっている場合には、インセンティブとしての特典をキャンペーンサイト２から受ける為のアクセス権限を標章したＵＲＬ（ワンタイムＵＲＬ）を生成して、上述した注文受領メールに記述する。また、当該ワンタイムＵＲＬを指定したリクエストメッセージを受信した場合には、当該ワンタイムＵＲＬの受信回数が所定限度内である限り、キャンペーンサイト３にリダイレクトさせるためのＵＲＬを当該ユーザ端末３に発行する。
【００１９】
なお、キャンペーンの適用条件は、上述したものの他にも、例えば、特定商品を所定個数以上購入した場合に適用されるとか、特定の複数の商品をセットで購入した場合に適用されるとか、購入額総計が所定額以上となった場合に適用される等、様々に設定することができる。その場合、ユーザによって購入確定された商品の種類，数量，購入金額の総和が、予め定めた何れかのキャンペーンの条件を満たす場合に、そのキャンペーンの種別をパラメータとして含むワンタイムＵＲＬを生成すれば良い。
【００２０】
データベースサーバ１３は、各種データベース（商品データベース１３１，顧客データベース１３２，注文データベース１３３，キャンペーンデータベース１３４）を形成するデータを格納した記憶装置を有し、上記処理を実行中の業務処理サーバ１２からの要求に応じて、これら各種データベース１３１〜１３４に対するデータの書き込み及び読み出しを行う。以下、これら各種データベース１３１〜１３４のデータ構造を、夫々説明する。
【００２１】
先ず、商品データベース１３１は、図２に示すように、当該ショッピングサイト１にて販売している商品の種類毎に、夫々、その型名，商品名，在庫数及び販売価格を、記憶している。
【００２２】
次に、顧客データベース１３２は、図３に示すように、当該ショッピングサイト１の顧客（過去に当該ショッピングサイト１で商品を購入したユーザ）毎に、その個人情報（顧客ＩＤ，氏名，郵便番号，住所，電話番号，電子メールアドレス）を、記憶している。
【００２３】
次に、注文ＤＢテーブル１３３は、各顧客が確定した商品購入についての伝票データの内容を記録するテーブルであり、図４に示すように、各伝票データ（図４の表における各列）は、夫々、個々の注文を一意に識別するための注文番号，注文者氏名，注文者住所，
注文者電話番号，購入金額の総和（合計金額），決済方法（１：銀行振り込み，２：クレジットカード決済），購入した各商品の型名（商品１〜），価格（価格１〜），数量（数量１〜）の各情報を、含んでいる。
【００２４】
次に、キャンペーンデータベース１３４には、図示を省略したが、キャンペーンの種別毎に、その種別を一意に識別するためのキャンペーン種別（Kind），適用条件，特典を受けることができる回数（権利数），このキャンペーンの委託先キャンペーンサイトのＵＲＬが、互いに対応付けて格納されている。更に、図５に示すように、キャンペーンデータベース１３４には、ショッピングサイト１が発行した個々のワンタイムＵＲＬ毎に、夫々、これを一意に識別するためのＩＤ，これを用いてキャンペーンシステム３がアクセスされた最近の日時（使用日時），権利数の残存値（残り権利数），及びキャンペーン種別を、記憶している。
【００２５】
なお、ショッピングサイト１は、実際には、図示せぬルータを通じてインターネットＮに接続されたＬＡＮにより、これらサーバ装置１１〜１３を接続することによって構成されている。但し、これら各サーバ装置１１〜１３の全部又は幾つかの機能を一つのサーバ装置によって実現しても良い。
［キャンペーンサイト］
一方、キャンペーンサイト２を構成するＷＥＢサーバ２１は、ユーザ端末３から自己宛に送られたリクエストメッセージ（ショッピングサイト１からリダイレクトされてきたメッセージ）によって要求された処理を業務サーバ２２に指示する。そして、その結果（返値）が当該業務サーバ２２から戻されると、リクエストメッセージ送信元のユーザ端末３へ応答する。
【００２６】
業務処理サーバ２２は、ＷＥＢサーバ２１から指示された処理を実行する装置であり、当該処理の手順を示した多種のプログラムをインストールしたハードディスク２２２，これらプログラムを指示内容に応じて適宜読み出して実行するＣＰＵ２２０，ＣＰＵ２２０の作業領域が展開されるメインメモリ２２１を、内蔵している。
【００２７】
この業務処理サーバ２２が実行する処理の一つが、上記ワンタイムＵＲＬに基づいてリダイレクトされたユーザ端末１からのリクエストメッセージに従って、当該ユーザ端末１を操作している者（顧客，ないし、当該顧客からアクセス権限を譲り受けた者）に対して、キャンペーンの一環としてインセンティブ付与を行う処理である。なお、業務処理サーバ２２は、インセンティブとして付与される特典がダウンロードデータの配信であれば、対象者の個人情報を収集する必要はないが、特典が販促品，クーポン券等の有体物の贈与である場合には、贈与される有体物を発送する為に必要な個人情報を、独自に当該対象者から取得する。
【００２８】
データベースサーバ２３は、各種データベース（キャンペーンデータベース２３１，適用結果データベース２３２）を形成するデータを格納した記憶装置を有し、上記処理を実行中の業務処理サーバ２２からの要求に応じて、これら各種データベース２３１〜２３２に対するデータの書き込み及び読み出しを行う。以下、これら各種データベース２３１〜２３２のデータ構造を、夫々説明する。
【００２９】
キャンペーンデータベース２３１は、当該キャンペーンサイト３が受託可能なキャンペーン種別が複数である場合に、キャンペーン種別（Kind）毎に、そのキャンペーンにおけるインセンティブとしてユーザに付与される特典の内容を、定義している。
【００３０】
適用結果データベース２３２は、図６に示すように、業務処理サーバ２２が過去に受信したリダイレクトメッセージに含まれていた全てのワンタイムＵＲＬのＩＤについて、そ
のＩＤと組み合わせてリダイレクトメッセージに含まれていた残り権利数の最小値を記録している。
【００３１】
なお、キャンペーンサイト２は、実際には、図示せぬルータを通じてインターネットＮに接続されたＬＡＮにより、これらサーバ装置２１〜２３を接続することによって構成されている。但し、これら各サーバ装置２１〜２３の全部又は幾つかの機能を一つのサーバ装置によって実現しても良い。
［ユーザ端末］
ユーザ端末３は、オペレーティングシステム及びＷＥＢブラウザプログラムを実行することによりインターネット接続機能を備えている通常構成のパーソナルコンピュータである。
＜処理内容＞
次に、上述したように構成されたネットワークシステムにおいて、ショッピングサイト１の業務処理サーバ１２（ハードディスク１２２からプログラムを読み込んだＣＰＵ１２０）が実行する処理，及び、キャンペーンサイト２の業務処理サーバ２２（ハードディスク２２２からプログラムを読み込んだＣＰＵ２２０）が実行する処理を、図７乃至図１０のフローチャート，並びに、図１１及び図１２の画面例に従って、説明する。
【００３２】
図７のフローチャートは、ショッピングサイト１のトップページのＵＲＬを指定したリクエストメッセージをＷＥＢサーバ１１が受信して、業務処理サーバ１２にオンラインショッピングの処理を指示することにより開始される。
【００３３】
そして、この処理がスタートして最初のＳ００１において、業務処理サーバ１２は、商品選択処理を実行する。即ち、業務処理サーバ１２は、メッセージ送信元のユーザ端末３との間でメッセージを交換することにより、当該ユーザ端末３を操作しているユーザが要求するページの画面データを順次送信し、ユーザに何れかの商品を、選択させる。顧客が購入対象商品を選択すると、選択された商品種類の型名及び数量をパラメータとして含むリクエストメッセージが当該ユーザ端末３から業務処理サーバ１２へ送信され、メモリ１２１上に構築された当該ユーザ用の領域（即ち、ショッピングカート）に格納される。そして、業務処理サーバ１２から送信された画面データに従ってユーザ端末３のディスプレイに表示されている画面上において、ユーザが購入確定の意思表示に相当する操作を行うと、処理がＳ００２へ進む。
【００３４】
Ｓ００２では、業務処理サーバ１２は、購入者情報入力処理を実行する。即ち、業務処理サーバ１２は、ＷＥＢブラウザを実行しているユーザ端末３に対して、当該ユーザの氏名，住所，電話番号及び電子メールアドレスを夫々入力すべき欄及び送信ボタンを有する入力画面をユーザ端末３のディスプレイ上に表示させるとともに、送信ボタンが操作された場合には各欄に入力されていた文字列を夫々氏名，住所，電話番号，電子メールアドレスとして業務処理サーバ１２へ応答させる設定が組み込まれた画面データを、送信する。このようにしてユーザ端末３から送信されてきた氏名，住所，電話番号，電子メールアドレス（購入者情報）を含むメッセージを受信すると、業務処理サーバ１２は、処理をＳ００３へ進める。
【００３５】
Ｓ００３では、業務処理サーバ１２は、注文確定処理を実行する。即ち、業務処理サーバ１２は、Ｓ００１にてショッピングカートの領域に格納した各商品種類の型名及び数量，各型名に対応して商品データベース１３１に記憶されている価格（単価），各商品種類の数量及び価格に基づいて算出された合計金額，Ｓ００２にて取得された購入者情報に基づいて、これらの情報が表記されるとともに訂正ボタン３１及び注文ボタン３２を含む注文確定画面（図１１参照）を表示させる画面データを、生成する。なお、画面データには、各ボタン３１，３２が操作された場合には、その旨を示すメッセージを業務処理サーバ
１２へ送信させる設定が、組み込まれている。そして、ＷＥＢブラウザの機能によって当該画面データに基づく画面表示を行っているユーザ端末３から、訂正ボタン３１が操作された旨のメッセージを受信すると、業務処理サーバ１２は、再度Ｓ００２の購入者情報入力処理を実行する。これに対して、同ユーザ端末３から注文ボタン３２が操作された旨のメッセージを受信すると、業務処理サーバ１２は、一意の注文番号を生成し、この注文番号と注文確定画面に含まれている情報とから伝票データを作成して、処理をＳ００４へ進める。
【００３６】
Ｓ００４では、業務処理サーバ１２は、キャンペーンデータベース１３４に格納されている各キャンペーン種別毎の適用条件に基づいて、Ｓ００３にて確定された注文内容が何れかのキャンペーンの適用対象となっている型名を含むかどうかをチェックする。なお、上述したように、キャンペーンの適用条件として商品の型名以外の条件が定められている場合には、業務処理サーバ１２は、ユーザによって確定された注文の内容が何れかの適用条件を満たすかどうかをチェックする。
【００３７】
そして、注文内容が何れの適用条件も満たさない場合（注文内容に含まれる型名がキャンペーンの適用対象となっていない場合）には、業務処理サーバ１２は、処理をそのままＳ００６へ進める。これに対して、注文内容が何れかの適用条件を満たす場合（注文内容に含まれる型名がキャンペーンの適用対象となっている場合）には、業務処理サーバ１２は、処理をＳ００５へ進める。
【００３８】
Ｓ００５では、業務処理サーバ１２は、満たされた適用条件に対応するキャンペーン種別及び権利数をキャンペーンデータベース１３４から読み出す。また、一意のＩＤを生成する（識別子生成手段に相当）。そして、業務処理サーバ１２は、これらＩＤ，権利数，キャンペーン種別及び使用日時（ＮＵＬ）を互いに対応付けて、キャンペーンデータベース１３４に登録する（登録手段に相当，即ち、権利数が権限の行使回数を示す情報に相当し、特に、権利数が１以上であることが、権限が有効であることを示す情報に相当する）。これとともに、業務処理サーバ１２は、自己を宛先とするとともに上記ＩＤを含むネットワークアドレスであるワンタイムＵＲＬを作成する（ネットワークアドレス生成手段に相当）。ワンタイムＵＲＬの内容は、例えば下記に示す如くであり、ショッピングサイト１宛に、キャンペーンの適用を要求する内容となっている。
【００３９】
https://www.shop-example.com/campaign? ID=xx&Sum=xx
（但し、Sumはチェックサム等のセキュリティパラメータである）
Ｓ００５を完了すると、業務処理サーバ１２は、処理をＳ００６へ進める。
【００４０】
Ｓ００６では、業務処理サーバ１２は、Ｓ００３にて作成した伝票データの内容を記述した注文受領メールを生成する。このとき、Ｓ００５にてワンタイムＵＲＬが作成されているならば、業務処理サーバ１２は、当該ワンタイムＵＲＬを注文受領メールに追記する。そして、業務処理サーバ１２は、以上のようにして作成した注文受領メールを、Ｓ００２にて取得した購入者情報に含まれる電子メールアドレス宛に送信する（ネットワークアドレス通知手段に相当）。
【００４１】
次のＳ００７では、業務処理サーバ１２は、Ｓ００３にて作成した伝票データを、注文データベース１３３に登録する。また、Ｓ００２にて取得した購入者情報に相当する顧客情報が顧客情報データベース１３２に未だ登録されていない場合には、当該購入者情報を顧客情報データベース１３２に登録する。Ｓ００７を完了すると、業務処理サーバ１２は、当該プロセスを終了する。
【００４２】
Ｓ００６にて送信された注文受領メールを何れかのユーザ端末３を用いて受信した顧客
は、当該注文受領メールに記述されているワンタイムＵＲＬを自ら使用することもできるが、第三者に通知して使用させても良い。何れにしても、当該ワンタイムＵＲＬを、何れかのユーザ端末３上で実行されているブラウザに設定して最初にリクエストメッセージをショッピングサイトに到達させた者が、当該ワンタイムＵＲＬに関するアクセス権限を有する者と、みなされることになる。
【００４３】
このようにしてワンタイムＵＲＬを指定したリクエストメッセージがショッピングサイト１に到達すると、業務処理サーバ１２は、図８に示す処理を実行する。そして、図８の処理がスタートして最初のＳ１０１では、業務処理サーバ１２は、当該ワンタイムＵＲＬの有効性を、当該ワンタイムＵＲＬに含まれるチェックサム等のセキュリティパラメータを用いてチェックする。そして、有効でないと判断した場合には、処理をＳ１０３へ進めるが、有効であると判断した場合には、処理をＳ１０２へ進める。
【００４４】
Ｓ１０２では、業務処理サーバ１２は、当該ワンタイムＵＲＬにパラメータとして含まれているＩＤに対応した残り権利数をキャンペーンデータベース１３４から読み出し、この残り権利数が１以上であるかどうかをチェックする。そして、残り権利数が０であれば処理をＳ１０３へ進め、１以上であれば処理をＳ１０４へ進める。
【００４５】
Ｓ１０３では、業務処理サーバ１２は、ＵＲＬ無効或いは適用済みである旨のエラーメッセージを表示させる画面データを、メッセージ送信元のユーザ端末３へ送信する。その後、業務処理サーバ１２は、このプロセスを終了する。
【００４６】
一方、Ｓ１０２では、業務処理サーバ１２は、上記ＩＤに対応してキャンペーンデータベース１３４に登録されているキャンペーン種別（Kind），残り権利数及びキャンペーンサイト２のＵＲＬに基づいて、リダイレクトパラメータを生成する。リダイレクトパラメータの内容は、例えば下記に示す如くであり、所定のキャンペーンサイト２にリダイレクトして所定キャンペーンの適用を要求する内容となっている。
https://www.canpaign-example.com/redirect?ID=xx&Site=xxx&Kind=xxx&Num=xx&Sum=xx&Ret=xxx
（但し、ＩＤは、ワンタイムＵＲＬに含まれていたＩＤ，Siteは当該ショッピングサイトを識別する識別子，Kindはキャンペーン種別，Numは残り権利数，Sumはチェックサム等のセキュリティパラメータ，Retはショッピングサイトの戻り先［戻りＵＲＬ］を指定する
パラメータである）
業務処理サーバ１２は、このようにして生成したリダイレクトパラメータを含むリダイレクト情報を、メッセージ送信元のユーザ端末３へ送信する（リダイレクト手段に相当）。
【００４７】
このようにして送信されたリダイレクト情報を受信したユーザ端末３上で実行されているブラウザは、当該リダイレクト情報中のリダイレクトパラメータに従って、リダイレクト先であるキャンペーンサイト２へメッセージ（リダイレクトパラメータをＵＲＬとしたメッセージ）を送信する。
【００４８】
すると、このメッセージを受信したキャンペーンサイト２では、業務処理サーバ２２が、図９に示す処理を実行する。そして、図９の処理がスタートして最初のＳ２０１では、業務処理サーバ１２は、当該メッセージに含まれるリダイレクトパラメータ（ＵＲＬ）の有効性を、当該リダイレクトパラメータ（ＵＲＬ）に含まれるチェックサム等のセキュリティパラメータを用いてチェックする。そして、有効でないと判断した場合には、処理をＳ２０７へ進めるが、有効であると判断した場合には、処理をＳ２０２へ進める。
【００４９】
Ｓ２０２では、業務処理サーバ２２は、当該リダイレクトメッセージに適用資格があるかどうかをチェックする。即ち、業務処理サーバ２２は、当該リダイレクトメッセージの
リダイレクトパラメータ（ＵＲＬ）に含まれているＩＤが未だキャンペーンデータベース２３２に登録されていなければ、適用資格があると判断して、処理をＳ２０３へ進める。また、同ＩＤが既にキャンペーンデータベース２３２に登録されている場合には、これに対応する残り権利数を、キャンペーンデータベース２３２から読み出す。そして、当該リダイレクトパラメータに含まれている残り権利数（Num）が、キャンペーンデータベース
２３２から読み出した残り権利数以上であれば、不正なアクセスであって適用資格がないと判断して、処理をＳ２０７へ進める。これに対して、当該リダイレクトパラメータに含まれている残り権利数（Num）が、キャンペーンデータベース２３２から読み出した残り
権利数未満であれば、適用資格があると判断して、処理をＳ２０３へ進める。
【００５０】
Ｓ２０３では、業務処理サーバ２２は、当該リダイレクトメッセージのリダイレクトパラメータ（ＵＲＬ）に含まれているキャンペーン種別（Kind）に対応した特典の内容をキャンペーンデータベース２３１から読み出し、その内容に従ってキャンペーンの適用を行う。例えば、特典の内容がダウンロードデータの配信であった場合には、当該キャンペーンデータベース２３１に定義されている格納場所からダウンロードデータを読み出して、メッセージ送信元のユーザ端末３へ送信する。また、特典の内容が有体物の贈与であった場合には、メッセージ送信元ユーザ端末３との間でメッセージを交換することによって、当該有体物を送付すべき者の個人情報（登録者情報）を取得して送付伝票データを作成し、これを図示せぬ配送システムへ通知する。また、特典の内容が懸賞への応募であった場合には、メッセージ送信元ユーザ端末３から応募者の個人情報（登録者情報）を取得して申込書データを作成し、これを図示せぬ懸賞システムへ通知する。なお、図１２には、かかる登録者情報を取得するための画面例である。
【００５１】
次のS２０４では、業務処理サーバ２２は、キャンペーンの適応結果を記録する。即ち
、当該リダイレクトメッセージのリダイレクトパラメータ（ＵＲＬ）に含まれているＩＤが未だ適用結果データベース２３２に登録されていなければ、同リダイレクトパラメータ（ＵＲＬ）に含まれている残り権利数（Num）に対応付けて、当該ＩＤを適用結果データ
ベース２３２に登録する。これに対して、同ＩＤが既にキャンペーンデータベース２３２に登録されている場合には、同ＩＤに対応付けてキャンペーンデータベース２３２に登録されている残り権利数を、同リダイレクトパラメータ（ＵＲＬ）に含まれている残り権利数（Num）により上書きする。
【００５２】
次のＳ２０５では、業務処理サーバ２２は、当該リダイレクトメッセージのリダイレクトパラメータ（ＵＲＬ）に含まれているショッピングサイトの戻り先を示すパラメータ（Ret，即ち、戻りＵＲＬの本文）に、ＩＤ及び残り権利数（Num）を付加することにより、ショッピングサイトへ戻るための戻りＵＲＬを作成する。戻りＵＲＬの例を、以下に示すhttps://www.shop-example.com/Ret?ID=xx&Num=xx&Sum=xx
（但し、ＩＤは、リダイレクトパラメータに含まれていたワンタイムＵＲＬのＩＤ，Num
は残り権利数，Sumはチェックサム等のセキュリティパラメータである）
次のＳ２０６では、業務処理サーバ２２は、当該戻りＵＲＬをアクセス元ユーザ端末３へ応答して、元のショッピングサイト１に遷移させる（完了通知手段に相当）。Ｓ２０６を完了すると、業務処理サーバ２２は、このプロセスを終了する。
【００５３】
一方、Ｓ２０７では、業務処理サーバ２２は、ＵＲＬ無効或いは適用済みである旨のエラーメッセージを表示させる画面データを、メッセージ送信元のユーザ端末３へ送信する。その後、業務処理サーバ２２は、このプロセスを終了する。
【００５４】
戻りＵＲＬを受け取ったユーザ端末３上のブラウザは、当該戻り端末に従ってメッセージを送信することにより、アクセス先を、元のショッピングサイト１に遷移させる。
【００５５】
すると、このメッセージを受信したショッピングサイト１では、業務処理サーバ１２が、図１０に示す処理を実行する。そして、図１０の処理がスタートして最初のＳ３０１では、業務処理サーバ１２は、当該メッセージに含まれるパラメータが正しい書式で記載されているかを、チェックする。そして、正しく記載されていないと判断した場合には、業務処理サーバ１２は、Ｓ３０４において、ＵＲＬ無効の旨のエラーメッセージを表示させる画面データを、メッセージ送信元のユーザ端末３へ送信する。その後、業務処理サーバ１２は、このプロセスを終了する。
【００５６】
これに対して、正しく記載されていると判断した場合には、業務処理サーバ１２は、Ｓ３０３において、キャンペーンの適用結果をキャンペーンデータベース１３４に登録する。即ち、戻りＵＲＬに含まれるＩＤに対応してキャンペーンＤＢに記録されている使用日付として現在日時を上書きするとともに、残り権利数の値を一つデクリメントする（適用記録手段に相当）。このようにしてデクリメントされた結果として、当該ＩＤに対応した残り権利数がゼロに書き換えられると（権限が無効であることを示す情報に更新することに相当）、それ以後、当該ＩＤを含むワンタイムＵＲＬを利用して、当該ショッピングサイトに対してアクセスが行われても、図８の処理のＳ１０２にて権利数がゼロであると判断されるので、キャンペーンサイト２へのリダイレクト（Ｓ１０４）はなされない。即ち、当該ワンタイムＵＲＬは以後無効となるのである。これに対して、デクリメント後にも未だ残り権利数が１以上である場合には、当該ＩＤを含む同一のワンタイムＵＲＬを利用して、当該ショッピングサイトに対してアクセスが行われれば、図８の処理のＳ１０２にて権利数が１以上であると判断されるので、キャンペーンサイト２へのリダイレクト（Ｓ１０４）がなされ、当該メッセージを送信したユーザは、キャンペーンの一環としてのインセンティブ付与を受けることができる。
＜実施形態による作用＞
このように、本実施形態の下では、ショッピングサイト１の運営者は、特定商品の購入者等、所定適用条件を満たした顧客に対して所定のインセンティブを付与することを内容とするキャンペーンを張ろうとした場合には、そのキャンペーンの一環としてのインセンティブ付与の業務を、キャンペーンサイト２を運営する業務受託者に対して委託する。その結果、キャンペーンの一環としてのインセンティブの付与は、キャンペーンサイト１の外部であるキャンペーンサイト３にて行われることになるので、キャンペーンの適用を希望する者に対して、キャンペーンサイト３にアクセスさせなければならない。
【００５７】
このとき、オンラインショッピング直後に同一セッション内でしかキャンペーンサイト３にアクセスできないとすると、上述したようなセッションの切断の場合に再開できないという問題が生じてしまう。そこで、本実施形態では、アクセス権限を標章するＵＲＬ（ワンタイムＵＲＬ）を商品購入者に電子メールにて通知し、当該ＵＲＬを用いて、当該商品購入者が後日任意のタイミングでキャンペーン適用を求めることができるようにした。その結果、オンラインショッピングと同一セッションでなければならないという制約も同一ユーザ端末３を用いなければならないという制約も無意味となるので、本実施形態では、更に、当該ＵＲＬを通知された者は、当該ＵＲＬを第三者に通知することでアクセス権限を譲渡できるようにした。
【００５８】
しかしながら、これらの制約を外した状態で、キャンペーンサイト３のＵＲＬを直接当該適用希望者に通知すると、上述したような不正アクセスの問題が生じてしまう。そこで、本実施形態では、キャンペーンサイトのＵＲＬを直接通知するのではなく、ショッピングサイト１経由でキャンペーンサイト２にリダイレクトさせるＵＲＬ（ワンタイムＵＲＬ）を商品購入者に通知することとした。即ち、当該ＵＲＬ（ワンタイムＵＲＬ）には抽象的な識別情報でしかないＩＤを含めるのみとし、その代わりに、ショッピングサイト１内において、当該ＩＤに対応付けてキャンペーン種別（Kind），従って、リダイレクト先のキャンペーンサイト３のＵＲＬをキャンペーンデータベース１３４に定義しておき、ショ
ッピングサイト１は、当該ＵＲＬ（ワンタイムＵＲＬ）を指定したメッセージを受信すると当該ＵＲＬ中のＩＤに対応したキャンペーン種別（Kind），従って、リダイレクト先のキャンペーンサイト３のＵＲＬをキャンペーンデータベース１３４から読み出し、当該キャンペーンサイト３にリダイレクトさせるようにしたのである。その結果、ユーザ端末３から直接キャンペーンサイト３にアクセスすることが不可能となる。また、上記ＩＤは、各ＵＲＬ（ワンタイムＵＲＬ）の使用回数を管理するためにも用いられている。即ち、ショッピングサイト１では、個々のＩＤ毎にその残り権利数をキャンペーンデータベース１３４に記録しており、各ＩＤを含むＵＲＬ（ワンタイムＵＲＬ）に基づくキャンペーンの適用（インセンティブの付与）がある毎にその残り権利数がデクリメントされていき、それがゼロになると、以後におけるＵＲＬ（ワンタイムＵＲＬ）に基づくキャンペーンの適用が拒絶されるのである。その結果、一つのＵＲＬ（ワンタイムＵＲＬ）に基づいてキャンペーン適用が制限なく行われてしまう弊害を防止することが可能となった。
【図面の簡単な説明】
【００５９】
【図１】ネットワークシステムの概略構成を示すブロック図
【図２】商品データベースのデータ構造を示す表
【図３】顧客データベースのデータ構造を示す表
【図４】注文データベースのデータ構造を示す表
【図５】キャンペーンデータベースのデータ構造を示す表
【図６】適用結果データベースのデータ構造を示す表
【図７】オンラインショッピング時の処理を示すフローチャート
【図８】ワンタイムＵＲＬアクセス時の処理を示すフローチャート
【図９】キャンペーンサイトの業務処理サーバの処理を示すフローチャート
【図１０】戻りＵＲＬによるアクセス時の処理を示すフローチャート
【図１１】オンラインショッピング時の画面例を示す図
【図１２】キャンペーン適用のための登録者情報登録画面の画面例を示す図
【図１３】従来のネットワークシステムの概略構成を示すブロック図
【符号の説明】
【００６０】
１    ショッピングサイト
２    キャンペーンサイト
３    ユーザ端末
１２    業務処理サーバ
１３    データベースサーバ
２２    業務処理サーバ
２３    データベースサーバ
１２０    ＣＰＵ
１２２    ハードディスク
１３４    キャンペーンデータベース
２２０    ＣＰＵ
２２２    ハードディスク
２３１    キャンペーンデータベース
【図１】
0005145949.tif 000002
【図２】
0005145949.tif 000003
【図３】
0005145949.tif 000004
【図４】
0005145949.tif 000005
【図５】
0005145949.tif 000006
【図６】
0005145949.tif 000007
【図７】
0005145949.tif 000008
【図８】
0005145949.tif 000009
【図９】
0005145949.tif 000010
【図１０】
0005145949.tif 000011
【図１１】
0005145949.tif 000012
【図１２】
0005145949.tif 000013
【図１３】
0005145949.tif 000014